(57)【特許請求の範囲】
【請求項１】
フレームと、
前記フレームに前後方向に摺動自在に取付けられている可動シャーシと、
前記可動シャーシの前端部に操作面が前方に露出した状態で該可動シャーシに対して相対運動不能に固定されている操作パネルと、
前記可動シャーシの前端側に前記操作パネルとは独立に回動自在に取付けられている表示パネルと、
を具備し、前記可動シャーシを前記フレームから引出して前記表示パネルを前方へ回動させることにより前記表示パネルが使用位置へ移動されるとともに、
前記操作パネルがこの表示装置と並べて配置される他の装置の操作パネルと少なくとも外形寸法がほぼ同一であって、前記表示パネルが前記可動シャーシとともに前記フレーム内に収納されると、前記操作パネルが前記他の装置の操作パネルと揃うように並べて配置されるようにしたことを特徴とする収納式表示装置。
【請求項２】
前記表示パネルの下端の両側が前記可動シャーシに回動自在に支持されていることを特徴とする請求項１に記載の収納式表示装置。
【請求項３】
前記表示装置の前記操作パネルが、その操作面を前方に向けた状態でほぼ垂直な姿勢で前記可動シャーシの前端部に固着されることを特徴とする請求項１に記載の収納式表示装置。
【請求項４】
前記操作パネルに補助表示手段が設けられていることを特徴とする請求項１に記載の収納式表示装置。
【請求項５】
前記表示パネルがモータによって回動されることを特徴とする請求項１に記載の収納式表示装置。
【請求項６】
車両のインストルメントパネルまたはコンソールパネルに取付けられる収納式表示装置において、
前記インストルメントパネルまたは前記コンソールパネルの開口内に固定されるフレームと、
前記フレームに対して前方へ引出し可能に取付けられる可動シャーシと、
前記可動シャーシの前端側に下端部が回動自在に取付けられる表示パネルと、
を具備し、前記可動シャーシを前方へ引出して前記表示パネルを起すように回動させるとともに、その後に前記可動シャーシを後退させることにより前記表示パネルが前記インストルメントパネルまたはコンソールパネルの前方に保持され、
前記可動シャーシの前端部に操作面が前方に露出した状態で前記可動シャーシに対して相対運動不能に操作パネルが固定して取付けられるとともに、該操作パネルが前記インストルメントパネルまたは前記コンソールパネルのオーディオ装置の操作パネルとほぼ同一の形状および寸法であって、前記表示パネルが前記可動シャーシとともに前記フレーム内に収納されると、前記操作パネルが前記インストルメントパネルまたは前記コンソールパネルのオーディオ装置の操作パネルと揃うように並べて配置されるようにしたことを特徴とする収納式表示装置。
【請求項７】
前記表示パネルが液晶表示パネルであることを特徴とする請求項６に記載の収納式表示装置。
【請求項８】
前記インストルメントパネルまたは前記コンソールパネル上において前記表示装置の前記操作パネルが前記オーディオ装置の操作パネルと、上下方向に並べて配列されることを特徴とする請求項６に記載の収納式表示装置。
【発明の詳細な説明】
【０００１】
【発明の属する技術分野】
本発明は収納式表示装置に係り、とくに表示パネルを引出して回動させることによって使用位置へ移動させるようにした収納式表示装置に関する。
【０００２】
【従来の技術】
例えば自動車にナビゲーション装置を装備する場合には、表示手段によって地図上における車両の位置を表示することを要する。そこで従来は、インストルメントパネルの上部にオンダッシュタイプの液晶表示パネルを取付けるようにしている。この場合にはインストルメントパネルの外表面に穴をあけて液晶表示パネルをねじで固定する方法によって取付けが行なわれるようになっている。
【０００３】
これに対して例えば図８〜図１２に示すように、収納式の表示装置が提案されている。この表示装置はフレーム１に対して前後方向に摺動自在に取付けられている可動シャーシ２によって液晶表示パネル３を回動自在にピン４を介して支持するようにしている。
【０００４】
図１０に示すようにフレーム１内に収納されている液晶表示パネル３は可動シャーシ２とともに図１１に示すように前方に引出される。そして引出された後にピン４を中心として液晶表示パネル３を図１２に示すように上方へ回動させることにより、この液晶パネルが見える位置に移動される。なお液晶表示パネル３の上部は操作パネル５を構成しており、この操作パネル５上に操作釦６が取付けられるようになっている。従って液晶表示パネル３が収納された場合には、図８に示すようにフレーム１の開口の前端を覆うように操作パネル５が位置することになる。
【０００５】
【発明が解決しようとする課題】
インストルメントパネル上に後から液晶表示パネルを取付けるようにすると、必ずしも液晶表示パネルが確実に固定されるとは限らない。また液晶表示パネルの固定のためにインストルメントパネルのとくにパッドの部分に穴があくようになる。従って液晶表示パネルを取外すと、この穴が傷として残る問題がある。
【０００６】
図８〜図１２に示す従来の収納式の液晶表示パネル３は、この液晶表示パネル３の上端側の部分を操作パネル５とし、この操作パネル５に操作釦６を設けるようにしているために、図８に示す収納状態と図９に示す引出し状態での操作釦６の位置が異なり、このために操作性に差を生ずる問題がある。またこのような液晶表示パネル３から成る表示装置をオーディオ装置の上部または下部に並べて配するようにすると、前面側の操作パネルが表示用パネルに対応する可動部とオーディオ装置に対応する固定部に分離されるために、一体感のあるデザインができないという問題がある。
【０００７】
本発明はこのような問題点に鑑みてなされたものであって、収納状態と引出し状態の何れの場合においても操作釦の位置が異なることがなく、また他の装置、例えばオーディオ装置と並べて配した場合に、それらの操作部が互いに分離されることがないようにし、これによって一体感のあるデザインが現出されるようにした収納式表示装置を提供することを目的とする。
【０００８】
【課題を解決するための手段】
本発明は、フレームと、
前記フレームに前後方向に摺動自在に取付けられている可動シャーシと、
前記可動シャーシの前端部に操作面が前方に露出した状態で該可動シャーシに対して相対運動不能に固定されている操作パネルと、
前記可動シャーシの前端側に前記操作パネルとは独立に回動自在に取付けられている表示パネルと、
を具備し、前記可動シャーシを前記フレームから引出して前記表示パネルを前方へ回動させることにより前記表示パネルが使用位置へ移動されるとともに、
前記操作パネルがこの表示装置と並べて配置される他の装置の操作パネルと少なくとも外形寸法がほぼ同一であって、前記表示パネルが前記可動シャーシとともに前記フレーム内に収納されると、前記操作パネルが前記他の装置の操作パネルと揃うように並べて配置されるようにしたことを特徴とする収納式表示装置に関するものである。
【０００９】
前記表示パネルの下端の両側が前記可動シャーシに回動自在に支持されていてよい。また前記表示装置の前記操作パネルが、その操作面を前方に向けた状態でほぼ垂直な姿勢で前記可動シャーシの前端部に固着されていてよい。また前記操作パネルに補助表示手段が設けられていてよい。また前記表示パネルがモータによって回動されるものであってよい。
【００１０】
別の発明は、車両のインストルメントパネルまたはコンソールパネルに取付けられる収納式表示装置において、
前記インストルメントパネルまたは前記コンソールパネルの開口内に固定されるフレームと、
前記フレームに対して前方へ引出し可能に取付けられる可動シャーシと、
前記可動シャーシの前端側に下端部が回動自在に取付けられる表示パネルと、
を具備し、前記可動シャーシを前方へ引出して前記表示パネルを起すように回動させるとともに、その後に前記可動シャーシを後退させることにより前記表示パネルが前記インストルメントパネルまたはコンソールパネルの前方に保持され、
前記可動シャーシの前端部に操作面が前方に露出した状態で前記可動シャーシに対して相対運動不能に操作パネルが固定して取付けられるとともに、該操作パネルが前記インストルメントパネルまたは前記コンソールパネルのオーディオ装置の操作パネルとほぼ同一の形状および寸法であって、前記表示パネルが前記可動シャーシとともに前記フレーム内に収納されると、前記操作パネルが前記インストルメントパネルまたは前記コンソールパネルのオーディオ装置の操作パネルと揃うように並べて配置されるようにしたことを特徴とする収納式表示装置に関するものである。
【００１１】
前記表示パネルが液晶表示パネルであってよい。また前記インストルメントパネルまたは前記コンソールパネル上において前記表示装置の前記操作パネルが前記オーディオ装置の操作パネルと、上下方向に並べて配列されてよい。
【００１２】
本発明の好ましい態様は、操作部を前面に有するとともに、回動されて収納される液晶表示装置から成る表示パネルを具備する収納式表示装置に関する。ここでこの表示装置の操作パネルが並べて配されるオーディオ装置の操作パネルと同一の構造をもつパネル構造を有し、しかも表示装置の固定式の操作パネルは表示装置の収納に関係なく同一の姿勢をとるように構成されていてよい。
【００１３】
このような操作パネルには補助表示部が設けられるとともに、記録媒体を構成する各種のディスクが収納される挿入口が設けられていてよい。また液晶表示パネルはモータによって駆動されて回動されるようにしてよい。ここでモータにエンコーダを取付けておくことによって、表示パネルの回動位置を検出するとともに、この位置を記憶しておくことによって、後から引出しを自動で行なうと、元の角度に自動的に復元されるようになり、１度角度調整をすればその位置へ自動的に復動されて位置決めされるようになる。
【００１４】
このような態様によれば、表示パネルの引出し時および収納時の何れにおいても操作パネルの操作性が良好に保持される。また他の装置、例えばオーディオ装置と組合わされる場合におけるオーディオ操作パネルとのデザインの統一性を図ることが可能になる。また表示装置の操作パネルに広い面積をとることができるために、デザインの自由度が高くなる。また記録媒体を構成するディスクの挿入口や補助表示部を操作パネルに配置することによって、収納状態でのプレイ状態の表示や記録媒体の切換えを確実に表示することが可能になる。また操作パネルのみを交換するだけでデザインを容易に変更することが可能になる。
【００１５】
【発明の実施の形態】
図１〜図７は本発明の一実施の形態に係る収納式表示装置を示すものであって、この表示装置は液晶表示パネルを用いた表示装置に関するものである。図３〜図５に示すようにこの装置は偏平な直方体状をなすフレーム１０を備えており、このフレーム１０はその前方が開口１１になっている。そしてフレーム１０内には開口１１の方向に移動可能に可動シャーシ１２が配されている。
【００１６】
フレーム１０の一側部には図５に示すように断面円形のガイドロッド１５が取付けられており、このガイドロッド１５が可動シャーシ１２に固定されている摺動軸受１６と摺動可能に嵌合されている。またフレーム１０にはスライドレール１７が移動自在に取付けられており、このスライドレール１７によって可動シャーシ１２の下部を支えるようにしている。
【００１７】
可動シャーシ１２の前端側の部分には横長の操作パネル２０が固着されている。操作パネル２０は複数の操作釦２１を有するとともに、横長の補助表示部２２を備えている。またコンパクトディスク（商品名）やミニディスク（商品名）等のディスク状記録媒体を挿入するためのディスク挿入口２３を備えている。
【００１８】
またこの可動シャーシ１２上には液晶表示パネル２６が回動自在に取付けられている。すなわち偏平な直方体状をなす液晶表示パネル２６の両側の下側の部分がピン２７を介して可動シャーシ１２の前端側に回動自在に支持されている。また液晶表示パネル２６のキャビネットの背面側の右側部にはセグメントギヤ２８が取付けられており、このセグメントギヤ２８が可動シャーシ１２上に固定されているモータ２９の出力軸に固着されたピニオン３０と係合されるようになっており、モータ２９によって液晶表示パネル２６を回動させるようにしている。
【００１９】
このような液晶表示パネル２６を備える表示装置は、車載用の表示装置であって、オーディオ装置と一緒に自動車のインストルメントパネルまたはコンソールパネルに上下に並べて収納されるようになっている。
【００２０】
収納状態においては図１および図３に示すように、液晶表示パネル２６がフレーム１０内に収納されるとともに、操作パネル２０が図１に示すようにオーディオ操作パネル３３の上に並べて配置されるようになっている。
【００２１】
液晶表示パネル２６を使用する場合には図４に示すように、可動シャーシ１２をフレーム１０に対して前方に引出す。この引出しの動作は、モータによってラックとピニオンとを介して行なうようにしてもよく、あるいはまた手で操作パネル２０の部分を持って前方へ引出すようにしてもよい。このときに可動シャーシ１２はガイドロッド１５とスライドレール１７とによって案内された状態で引出される。
【００２２】
次に図６に示すようにモータ２９を駆動し、ピニオン３０によってセグメントギヤ２８を駆動することにより、このセグメントギヤ２８が取付けられている液晶表示パネル２６が図６に示すようにピン２７を中心として反時計方向に回動され、これによって液晶表示パネル２６がほぼ直立した状態になる。
【００２３】
この後に図７に示すように、再び可動シャーシ１２をフレーム１０内に引込む。このときにフレーム１０の開口１１のエッジに対して直立する液晶表示パネル２６がやや前方に位置する位置まで引込むようにする。そしてこの状態において液晶表示パネル２６によって所定の表示を行なうようにする。なおこのときに液晶表示パネル２６を図７において鎖線で示すようにやや後方に傾けるようにしてもよい。
【００２４】
液晶表示パネル２６を収納する場合には上記とは逆の動作を行なう。すなわち図７に示すように直立した液晶表示パネル２６を支持している可動シャーシ１２を図６に示すように再び前方へ引出す。そしてこの状態においてモータ２９によってピニオン３０およびセグメントギヤ２８を介して図４および図５に示すように液晶表示パネル２６をピン２７を中心として時計方向に回動させ、可動シャーシ１２内に収納する。そしてこの後に可動シャーシ１２をフレーム１０内に引込むか押込めばよい。これによって図３に示す収納状態になる。
【００２５】
とくに図２に示すように液晶表示パネル２６を開いた状態において、可動シャーシ１２の先端部に操作パネル２０が固着されている。操作パネル２０には補助表示部２２とディスク挿入口２３とが設けられている。また可動シャーシ１２の前端側の左右に液晶表示パネル２６を回動させるための回動支持機構を設けており、そのピン２７を中心として液晶表示パネル２６を図７に示すように回動させるようにしている。
【００２６】
液晶表示パネル２６を収納した場合には前面側が図１および図３に示すようになり、この収納状態においてはオーディオ操作パネル３３と同一の外形をもつ操作パネル２０が並べて配置されることになる。ここで補助表示部２２は動作可能であって、この表示装置の動作状態を表示し、例えばテレビのチャンネル表示等を行なうことが可能になる。
【００２７】
このように可動シャーシ１２の先端側の部分に固定された操作パネル２０に主な操作釦２１、補助表示部２２、およびディスク挿入口２３を設けることによって、図１に示す収納状態および図２に示す引出し状態の何れにおいても良好な操作性が得られる。またとくに収納状態での操作パネル２０のデザインの自由度が大きく、操作パネル２０として独立した設計が可能になる。
【００２８】
すなわちこのような表示装置によれば、液晶表示パネル２６の引出し状態および収納状態の何れにおいても良好な操作性が得られる。また組合わされるオーディオ装置の操作パネル３３と操作パネル２０とのデザインの統一性が図られることになる。また広い面積を操作パネル２０のために確保することが可能になり、これによって操作パネル２０のデザインの自由度が向上する。
【００２９】
さらに操作パネル２０にディスクの挿入口２３や補助表示部２２が配置でき、液晶表示パネル２６の収納状態でのプレイ状態の表示や操作の切換えの表示が行なわれるようになる。また操作パネル２０のみを交換するだけでデザインを容易に変更することが可能になり、フレキシビリティに富んだ収納式表示装置が提供される。
【００３０】
【発明の効果】
本発明は、フレームと、フレームに前後方向に摺動自在に取付けられている可動シャーシと、可動シャーシの前端部に操作面が前方に露出した状態で該可動シャーシに対して相対運動不能に固定されている操作パネルと、可動シャーシの前端側に操作パネルとは独立に回動自在に取付けられている表示パネルと、を具備し、可動シャーシをフレームから引出して表示パネルを前方へ回動させることにより表示パネルが使用位置へ移動されるとともに、操作パネルがこの表示装置と並べて配置される他の装置の操作パネルと少なくとも外形寸法がほぼ同一であって、表示パネルが可動シャーシとともにフレーム内に収納されると、操作パネルが他の装置の操作パネルと揃うように並べて配置されるようにしたものである。
【００３１】
従って不使用時には表示パネルを収納することが可能になるとともに、使用時に前方へ回動させて使用位置へ移動させればよい。ここで可動シャーシの前端部に操作パネルが固定されているために、表示パネルの位置にかかわらず高い操作性を維持することが可能になる。
【００３２】
表示パネルの下端の両側が可動シャーシに回動自在に支持されている構成によれば、表示パネルが下端の両側を中心として回動することになる。
【００３３】
表示装置の操作パネルが、その操作面を前方に向けた状態でほぼ垂直な姿勢で可動シャーシの前端部に固着されている構成によれば、操作面が前方に向けられた操作パネルによって、各種の操作が行なわれることになる。
【００３４】
操作パネルに補助表示手段が設けられている構成によれば、この補助表示手段によって所定の表示を行なうことが可能になり、とくに表示パネルが収納状態であっても補助表示手段によって表示が行なわれることになる。
【００３５】
表示パネルがモータによって回動される構成によれば、表示パネルの回動が自動的に行なわれることになる。
【００３６】
別の発明は、車両のインストルメントパネルまたはコンソールパネルに取付けられる収納式表示装置において、インストルメントパネルまたはコンソールパネルの開口内に固定されるフレームと、フレームに対して前方へ引出し可能に取付けられる可動シャーシと、可動シャーシの前端側に下端部が回動自在に取付けられる表示パネルと、を具備し、可動シャーシを前方へ引出して表示パネルを起すように回動させるとともに、その後に可動シャーシを後退させることにより表示パネルがインストルメントパネルまたはコンソールパネルの前方に保持され、可動シャーシの前端部に操作面が前方に露出した状態で可動シャーシに対して相対運動不能に操作パネルが固定して取付けられるとともに、該操作パネルがインストルメントパネルまたはコンソールパネルのオーディオ装置の操作パネルとほぼ同一の形状および寸法であって、表示パネルが可動シャーシとともにフレーム内に収納されると、操作パネルがインストルメントパネルまたはコンソールパネルのオーディオ装置の操作パネルと揃うように並べて配置されるようにしたものである。
【００３７】
従って車載用の収納式の表示装置が提供されることになり、しかも使用時においては表示パネルがインストルメントパネルまたはコンソールパネルの前方に保持されるために、見易い位置に表示パネルを配することが可能になる。
【００３８】
表示パネルが液晶表示パネルである構成によれば、このような液晶表示パネルによって所定の表示が行なわれることになる。
【００３９】
インストルメントパネルまたはコンソールパネル上において表示装置の操作パネルがオーディオ装置の操作パネルと、上下方向に並べて配列された構成によれば、インストルメントパネルまたはコンソールパネルにオーディオ装置と並べて収納式表示装置を配するときに、それらの操作パネルのデザインが統一されるようになる。
【図面の簡単な説明】
【図１】収納式表示装置の収納状態の外観斜視図である。
【図２】同引出し状態の外観斜視図である。
【図３】収納状態の縦断面図である。
【図４】引出し状態の縦断面図である。
【図５】同平面図である。
【図６】液晶表示パネルを前方へ回動させた状態の縦断面図である。
【図７】使用位置へ表示パネルを移動させたときの縦断面図である。
【図８】従来の収納式表示装置の収納状態の外観斜視図である。
【図９】同引出し状態の外観斜視図である。
【図１０】同収納状態の縦断面図である。
【図１１】引出し動作を示す縦断面図である。
【図１２】使用位置へ回動された状態の縦断面図である。
【符号の説明】
１‥‥フレーム、２‥‥可動シャーシ、３‥‥液晶表示パネル、４‥‥ピン、５‥‥操作パネル、６‥‥操作釦、１０‥‥フレーム、１１‥‥開口、１２‥‥可動シャーシ、１５‥‥ガイドロッド、１６‥‥摺動軸受、１７‥‥スライドレール、２０‥‥操作パネル、２１‥‥操作釦、２２‥‥補助表示部、２３‥‥ディスク挿入口、２６‥‥液晶表示パネル、２７‥‥ピン、２８‥‥セグメントギヤ、２９‥‥モータ、３０‥‥ピニオン、３３‥‥オーディオ操作パネル
【図１】
0004013004.tif 000002
【図２】
0004013004.tif 000003
【図３】
0004013004.tif 000004
【図４】
0004013004.tif 000005
【図５】
0004013004.tif 000006
【図６】
0004013004.tif 000007
【図７】
0004013004.tif 000008
【図８】
0004013004.tif 000009
【図９】
0004013004.tif 000010
【図１０】
0004013004.tif 000011
【図１１】
0004013004.tif 000012
【図１２】
0004013004.tif 000013